(57)【要約】  本開示は、データ伝送方法、端末機器及びネットワーク機器を提供し、前記データ伝送方法は、ＰＤＳＣＨを受信することと、反復伝送のＰＤＳＣＨに対応するＨＡＲＱ−ＡＣＫフィードバック情報を少なくとも第１の伝送位置にマッピングして伝送することとを含み、該第１の伝送位置は、準静的ＨＡＲＱ−ＡＣＫコードブック内の、反復伝送のＰＤＳＣＨの最後の１回の伝送に対応する位置である。【選択図】図１
2021517424.tif 000002
【特許請求の範囲】
【請求項１】
端末機器に適用されるデータ伝送方法であって、
ＰＤＳＣＨ（Ｐｈｙｓｉｃａｌ  Ｄｏｗｎｌｉｎｋ  Ｓｈａｒｅｄ  Ｃｈａｎｎｅｌ）を受信することと、
反復伝送のＰＤＳＣＨに対応するＨＡＲＱ−ＡＣＫ（Ｈｙｂｒｉｄ  Ａｕｔｏｍａｔｉｃ  Ｒｅｐｅａｔ  Ｒｅｑｕｅｓｔ  Ａｃｋｎｏｗｌｅｄｇｅｍｅｎｔ）フィードバック情報を少なくとも第１の伝送位置にマッピングして伝送することとを含み、
ここで、前記第１の伝送位置は、準静的ＨＡＲＱ−ＡＣＫコードブック内の、前記反復伝送のＰＤＳＣＨの最後の１回の伝送に対応する位置である、データ伝送方法。
【請求項２】
前記の反復伝送のＰＤＳＣＨに対応するＨＡＲＱ−ＡＣＫフィードバック情報を少なくとも第１の伝送位置にマッピングして伝送することは、
前記反復伝送のＰＤＳＣＨに対応するＨＡＲＱ−ＡＣＫフィードバック情報を前記第１の伝送位置にマッピングして伝送し、ＮＡＣＫ（Ｎｏｎ−Ａｃｋｎｏｗｌｅｄｇｅｍｅｎｔ）情報を第２の伝送位置にマッピングして伝送することを含み、
ここで、前記第２の伝送位置は、前記準静的ＨＡＲＱ−ＡＣＫコードブック内の、前記反復伝送のＰＤＳＣＨの最後の１回の伝送以外の毎回の伝送に対応する位置である、請求項１に記載の方法。
【請求項３】
前記の反復伝送のＰＤＳＣＨに対応するＨＡＲＱ−ＡＣＫフィードバック情報を少なくとも第１の伝送位置にマッピングして伝送することは、
前記反復伝送のＰＤＳＣＨに対応するＨＡＲＱ−ＡＣＫフィードバック情報を前記第１の伝送位置にマッピングして伝送し、今回の反復伝送のＰＤＳＣＨに対応するＨＡＲＱ−ＡＣＫフィードバック情報を第３の伝送位置にマッピングして伝送することを含み、
ここで、前記第３の伝送位置は、前記準静的ＨＡＲＱ−ＡＣＫコードブック内の、前記反復伝送のＰＤＳＣＨの今回の伝送に対応する位置である、請求項１に記載の方法。
【請求項４】
前記の反復伝送のＰＤＳＣＨに対応するＨＡＲＱ−ＡＣＫフィードバック情報を少なくとも第１の伝送位置にマッピングして伝送することは、
前記反復伝送のＰＤＳＣＨに対応するＨＡＲＱ−ＡＣＫフィードバック情報を、前記準静的ＨＡＲＱ−ＡＣＫコードブック内の、前記反復伝送のＰＤＳＣＨの毎回の伝送に対応する位置に、反復マッピングして伝送することを含む、請求項１に記載の方法。
【請求項５】
前記反復伝送のＰＤＳＣＨに対応するＨＡＲＱ−ＡＣＫフィードバック情報は、前記反復伝送のＰＤＳＣＨの最後の１回の伝送に対応するＨＡＲＱ−ＡＣＫフィードバック情報である、請求項１〜４のいずれか１項に記載の方法。
【請求項６】
ＮＡＣＫ情報を、前記準静的ＨＡＲＱ−ＡＣＫコードブック内の、前記反復伝送のＰＤＳＣＨの毎回の伝送に対応する位置以外の位置に、マッピングして伝送することをさらに含む、請求項１〜４のいずれか１項に記載の方法。
【請求項７】
ネットワーク機器に適用されるデータ伝送方法であって、
ＰＤＳＣＨを伝送することと、
少なくとも第１の伝送位置で、反復伝送のＰＤＳＣＨに対応するＨＡＲＱ−ＡＣＫフィードバック情報を受信することとを含み、
ここで、前記第１の伝送位置は、準静的ＨＡＲＱ−ＡＣＫコードブック内の、前記反復伝送のＰＤＳＣＨの最後の１回の伝送に対応する位置である、データ伝送方法。
【請求項８】
前記の少なくとも第１の伝送位置で、反復伝送のＰＤＳＣＨに対応するＨＡＲＱ−ＡＣＫフィードバック情報を受信することは、
前記第１の伝送位置で、反復伝送のＰＤＳＣＨに対応するＨＡＲＱ−ＡＣＫフィードバック情報を受信し、第２の伝送位置でＮＡＣＫ情報を受信することを含み、
ここで、前記第２の伝送位置は、前記準静的ＨＡＲＱ−ＡＣＫコードブック内の、前記反復伝送のＰＤＳＣＨの最後の１回の伝送以外の毎回の伝送に対応する位置である、請求項７に記載の方法。
【請求項９】
前記の少なくとも第１の伝送位置で、反復伝送のＰＤＳＣＨに対応するＨＡＲＱ−ＡＣＫフィードバック情報を受信することは、
前記第１の伝送位置で、前記反復伝送のＰＤＳＣＨに対応するＨＡＲＱ−ＡＣＫフィードバック情報を受信し、第３の伝送位置で、今回の反復伝送のＰＤＳＣＨに対応するＨＡＲＱ−ＡＣＫフィードバック情報を受信することを含み、
ここで、前記第３の伝送位置は、前記準静的ＨＡＲＱ−ＡＣＫコードブック内の、前記反復伝送のＰＤＳＣＨの今回の伝送に対応する位置である、請求項７に記載の方法。
【請求項１０】
前記の少なくとも第１の伝送位置で、反復伝送のＰＤＳＣＨに対応するＨＡＲＱ−ＡＣＫフィードバック情報を受信することは、
前記反復伝送のＰＤＳＣＨに対応するＨＡＲＱ−ＡＣＫフィードバック情報を、前記準静的ＨＡＲＱ−ＡＣＫコードブック内の、前記反復伝送のＰＤＳＣＨの毎回の伝送に対応する位置で、受信することを含む、請求項７に記載の方法。
【請求項１１】
前記反復伝送のＰＤＳＣＨに対応するＨＡＲＱ−ＡＣＫフィードバック情報は、前記反復伝送のＰＤＳＣＨの最後の１回の伝送に対応するＨＡＲＱ−ＡＣＫフィードバック情報である、請求項７〜１０のいずれか１項に記載の方法。
【請求項１２】
ＮＡＣＫ情報を、前記準静的ＨＡＲＱ−ＡＣＫコードブック内の、前記反復伝送のＰＤＳＣＨの毎回の伝送に対応する位置以外の位置で、受信することをさらに含む、請求項７〜１０のいずれか１項に記載の方法。
【請求項１３】
端末機器であって、トランシーバと、メモリと、プロセッサと、前記メモリに記憶されている、前記プロセッサ上で実行可能なプログラムとを含み、
ここで、前記トランシーバは、ＰＤＳＣＨを受信し、反復伝送のＰＤＳＣＨに対応するＨＡＲＱ−ＡＣＫフィードバック情報を少なくとも第１の伝送位置にマッピングして伝送することに用いられ、
ここで、前記第１の伝送位置は、準静的ＨＡＲＱ−ＡＣＫコードブック内の、前記反復伝送のＰＤＳＣＨの最後の１回の伝送に対応する位置である、端末機器。
【請求項１４】
前記プロセッサは、前記反復伝送のＰＤＳＣＨに対応するＨＡＲＱ−ＡＣＫフィードバック情報を前記第１の伝送位置にマッピングして伝送し、ＮＡＣＫ情報を第２の伝送位置にマッピングして伝送することに用いられ、
ここで、前記第２の伝送位置は、前記準静的ＨＡＲＱ−ＡＣＫコードブック内の、前記反復伝送のＰＤＳＣＨの最後の１回の伝送以外の毎回の伝送に対応する位置である、請求項１３に記載の端末機器。
【請求項１５】
前記トランシーバは、前記反復伝送のＰＤＳＣＨに対応するＨＡＲＱ−ＡＣＫフィードバック情報を前記第１の伝送位置にマッピングして伝送し、今回の反復伝送のＰＤＳＣＨに対応するＨＡＲＱ−ＡＣＫフィードバック情報を第３の伝送位置にマッピングして伝送することに用いられ、
ここで、前記第３の伝送位置は、前記準静的ＨＡＲＱ−ＡＣＫコードブック内の、前記反復伝送のＰＤＳＣＨの今回の伝送に対応する位置である、請求項１３に記載の端末機器。
【請求項１６】
前記トランシーバは、前記反復伝送のＰＤＳＣＨに対応するＨＡＲＱ−ＡＣＫフィードバック情報を、前記準静的ＨＡＲＱ−ＡＣＫコードブック内の、前記反復伝送のＰＤＳＣＨの毎回の伝送に対応する位置に、反復マッピングして伝送することに用いられる、請求項１３に記載の端末機器。
【請求項１７】
前記反復伝送のＰＤＳＣＨに対応するＨＡＲＱ−ＡＣＫフィードバック情報は、前記反復伝送のＰＤＳＣＨの最後の１回の伝送に対応するＨＡＲＱ−ＡＣＫフィードバック情報である、請求項１３〜１６のいずれか１項に記載の端末機器。
【請求項１８】
前記トランシーバは、ＮＡＣＫ情報を、前記準静的ＨＡＲＱ−ＡＣＫコードブック内の、前記反復伝送のＰＤＳＣＨの毎回の伝送に対応する位置以外の位置に、マッピングして伝送することをさら用いられる、請求項１３〜１６のいずれか１項に記載の端末機器。
【請求項１９】
ネットワーク機器であって、トランシーバ、メモリ、プロセッサ、及びメモリに記憶されている、プロセッサ上で実行可能なコンピュータプログラムを含み、ここで、
前記トランシーバは、ＰＤＳＣＨを伝送し、少なくとも第１の伝送位置で、反復伝送のＰＤＳＣＨに対応するＨＡＲＱ−ＡＣＫフィードバック情報を受信することに用いられ、
ここで、前記第１の伝送位置は、準静的ＨＡＲＱ−ＡＣＫコードブック内の、前記反復伝送のＰＤＳＣＨの最後の１回の伝送に対応する位置である、ネットワーク機器。
【請求項２０】
前記トランシーバは、前記第１の伝送位置で、反復伝送のＰＤＳＣＨに対応するＨＡＲＱ−ＡＣＫフィードバック情報を受信し、第２の伝送位置でＮＡＣＫ情報を受信することさらに用いられ、
ここで、前記第２の伝送位置は、前記準静的ＨＡＲＱ−ＡＣＫコードブック内の、前記反復伝送のＰＤＳＣＨの最後の１回の伝送以外の毎回の伝送に対応する位置である、請求項１９に記載のネットワーク機器。
【請求項２１】
前記トランシーバは、前記第１の伝送位置で、前記反復伝送のＰＤＳＣＨに対応するＨＡＲＱ−ＡＣＫフィードバック情報を受信し、第３の伝送位置で、今回の反復伝送のＰＤＳＣＨに対応するＨＡＲＱ−ＡＣＫフィードバック情報を受信することにさらに用いられ、
ここで、前記第３の伝送位置は、前記準静的ＨＡＲＱ−ＡＣＫコードブック内の、前記反復伝送のＰＤＳＣＨの今回の伝送に対応する位置である、請求項１９に記載のネットワーク機器。
【請求項２２】
前記トランシーバは、前記反復伝送のＰＤＳＣＨに対応するＨＡＲＱ−ＡＣＫフィードバック情報を、前記準静的ＨＡＲＱ−ＡＣＫコードブック内の、前記反復伝送のＰＤＳＣＨの毎回の伝送に対応する位置で、受信することにさらに用いられ、請求項１９に記載のネットワーク機器。
【請求項２３】
前記反復伝送のＰＤＳＣＨに対応するＨＡＲＱ−ＡＣＫフィードバック情報は、前記反復伝送のＰＤＳＣＨの最後の１回の伝送に対応するＨＡＲＱ−ＡＣＫフィードバック情報である、請求項１９〜２２のいずれか１項に記載のネットワーク機器。
【請求項２４】
前記トランシーバは、ＮＡＣＫ情報を、前記準静的ＨＡＲＱ−ＡＣＫコードブック内の、前記反復伝送のＰＤＳＣＨの毎回の伝送に対応する位置以外の位置で、受信することにさらに用いられる、請求項１９〜２２のいずれか１項に記載のネットワーク機器。
【請求項２５】
端末機器に適用されるデータ伝送装置であって、
ＰＤＳＣＨを受信することに用いられる第１の受信モジュールと、
反復伝送のＰＤＳＣＨに対応するＨＡＲＱ−ＡＣＫフィードバック情報を少なくとも第１の伝送位置にマッピングして伝送することに用いられる第１の伝送モジュールとを含み、
ここで、前記第１の伝送位置は、準静的ＨＡＲＱ−ＡＣＫコードブック内の、前記反復伝送のＰＤＳＣＨの最後の１回の伝送に対応する位置である、データ伝送装置。
【請求項２６】
ネットワーク機器に適用されるデータ伝送装置であって、
ＰＤＳＣＨを伝送することに用いられる第２の伝送モジュールと、
少なくとも第１の伝送位置で、反復伝送のＰＤＳＣＨに対応するＨＡＲＱ−ＡＣＫフィードバック情報を受信することに用いられる第２の受信モジュールとを含み、
ここで、前記第１の伝送位置は、準静的ＨＡＲＱ−ＡＣＫコードブック内の、前記反復伝送のＰＤＳＣＨの最後の１回の伝送に対応する位置である、データ伝送装置。
【請求項２７】
端末機器であって、
メモリと、プロセッサと、前記メモリに記憶されている、前記プロセッサ上で実行可能なプログラムとを含み、ここで、前記プロセッサが前記コンピュータープログラムを実行すると、請求項１〜６のいずれか１項に記載のデータ伝送方法が実現される、端末機器。
【請求項２８】
ネットワーク機器であって、
メモリと、プロセッサと、前記メモリに記憶されている、前記プロセッサ上で実行可能なプログラムとを含み、ここで、前記プロセッサが前記コンピュータープログラムを実行すると、請求項７〜１２のいずれか１項に記載のデータ伝送方法が実現される、ネットワーク機器。
【請求項２９】
プロセッサによって実行されると、請求項１〜６のいずれか１項、又は請求項７〜１２のいずれか１項に記載のデータ伝送方法を実現するコンピュータプログラムを記憶しているコンピュータ読み取り可能な記憶媒体。
【発明の詳細な説明】
【技術分野】
【０００１】
本願は、２０１８年３月３０日に中国に出願された中国特許出願番号２０１８１０２７６５４２．Ｘの優先権を主張し、その内容全体が援用により本明細書に組み込まれる。
本発明は、通信技術分野に関し、特に、データ伝送方法、端末機器及びネットワーク機器に関する。
【背景技術】
【０００２】
移動通信サービスの需要の発展に伴い、ＩＴＵ（Ｉｎｔｅｒｎａｔｉｏｎａｌ  Ｔｅｌｅｃｏｍｍｕｎｉｃａｔｉｏｎ  Ｕｎｉｏｎ）や３ＧＰＰ（３ｒｄ  Ｇｅｎｅｒａｔｉｏｎ  Ｐａｒｔｎｅｒｓｈｉｐ  Ｐｒｏｊｅｃｔ）等の団体は、新しい無線通信システム、例えば、５Ｇ  ＮＲ（５ｔｈ  Ｇｅｎｅｒａｔｉｏｎ  Ｎｅｗ  Ｒａｄｉｏ）通信システムの研究を開始している。
【０００３】
関連技術における５Ｇ  ＮＲシステムでは、柔軟なタイミング関係がサポートされている。ＰＤＳＣＨ（Ｐｈｙｓｉｃａｌ  Ｄｏｗｎｌｉｎｋ  Ｓｈａｒｅｄ  Ｃｈａｎｎｅｌ）に対しては、そのスケジューリング情報を搬送するＰＤＣＣＨ（Ｐｈｙｓｉｃａｌ  Ｄｏｗｎｌｉｎｋ  Ｃｏｎｔｒｏｌ  Ｃｈａｎｎｅｌ）が、ＰＤＳＣＨとＰＤＣＣＨとの間のスケジューリングタイミング（Ｓｃｈｅｄｕｌｉｎｇ  ｔｉｍｉｎｇ）、及びＰＤＳＣＨとそれに対応するＨＡＲＱ−ＡＣＫ（Ｈｙｂｒｉｄ  Ａｕｔｏｍａｔｉｃ  Ｒｅｐｅａｔ  Ｒｅｑｕｅｓｔ  Ａｃｋｎｏｗｌｅｄｇｅｍｅｎｔ）との間のフィードバックタイミング関係（ＨＡＲＱ−ＡＣＫ  ｔｉｍｉｎｇ）を指示することができる。具体的に、ＰＤＣＣＨにより使用されるＤＣＩ（Ｄｏｗｎｌｉｎｋ  Ｃｏｎｔｒｏｌ  Ｉｎｆｏｒｍａｔｉｏｎ）フォーマットにおける時間領域リソース割当指示フィールドは、ＰＤＳＣＨが位置するスロット及びＤＣＩが位置するスロットのスロットオフセットＫ０を示し、ＤＣＩフォーマット内のＰＤＳＣＨ・ＨＡＲＱ−ＡＣＫフィードバックタイミング指示フィールドは、ＰＤＳＣＨとＨＡＲＱ−ＡＣＫとの間のスロット数Ｋ１を示す。ＰＤＳＣＨをスケジューリングするＤＣＩなら、ＤＣＩフォーマット１＿０とＤＣＩフォーマット１＿１の２種類のフォーマットがある。ここで、ＤＣＩフォーマット１＿０は、フォールバック（ｆａｌｌｂａｃｋ）ＤＣＩであり、それに対応するＫ１セットは、｛１、２、３、４、５、６、７、８｝に固定され、ＤＣＩフォーマット１＿１は、非フォールバック（ｎｏｎ−ｆａｌｌｂａｃｋ）ＤＣＩフォーマットであり、それに対応するＫ１セットは、上記最大Ｋ１セットから選択された最多８つの値であり、少なくとも｛０、１、２、３、４、５、６、７｝における値を含む必要がある。Ｋ１は、ＤＣＩ内の３ビットＨＡＲＱ−ＡＣＫタイミング指示フィールドによって、１つの値を端末機器に指示し得、したがって、該値は動的に変更されるものであり得る。
【０００４】
５Ｇ  ＮＲシステムでは、準静的（ｓｅｍｉ−ｓｔａｔｉｃ）と動的（ｄｙｎａｍｉｃ）の２つのＨＡＲＱ−ＡＣＫコードブック（ｃｏｄｅｂｏｏｋ）生成方式がサポートされる。いわゆるＨＡＲＱ−ＡＣＫコードブックポインタとは、同一の時間領域位置または上りチャネル上でＨＡＲＱ−ＡＣＫフィードバックを行う下り伝送（ＰＤＳＣＨと下りＳＰＳリソース解放を指示するＰＤＣＣＨとを含み、下りＳＰＳリソース解放を指示するＰＤＣＣＨはＳＰＳ  ＰＤＳＣＨ解放指示ともいう）に対して生成されるＨＡＲＱ−ＡＣＫフィードバックシーケンスである。
【０００５】
準静的ＨＡＲＱ−ＡＣＫコードブックは、Ｋ１セットにおけるＨＡＲＱ−ＡＣＫタイミング値に基づいて、各キャリアｃ上で、同一のスロットｎでＨＡＲＱ−ＡＣＫフィードバックを行う下り伝送の位置セットＭｃを特定してから、Ｍｃに基づいて、スロットｎで伝送されたＨＡＲＱ−ＡＣＫコードブックを特定することができる。具体的には、各Ｋ１値に基づいて、対応するスロットｓｌｏｔ  ｎにおけるＨＡＲＱ−ＡＣＫフィードバックを行うスロットが特定され、これらの各々スロットに、さらに、予め設定された下り時間領域リソース割当情報における種々の時間領域位置に応じて、１つのスロットにＴＤＭ（Ｔｉｍｅ  Ｄｉｖｉｓｉｏｎ  Ｍｕｌｔｉｐｌｅｘｉｎｇ）が存在する下り伝送の最大の個数が特定されてもよい。例えば、準静的な上り下りスロット構成が設定された場合、１つの下り時間領域リソース割当情報から特定される１つのスロットにおける伝送位置に上りシンボルが存在すれば、該伝送位置はカウントされないので上り下りリソースの衝突が存在し、該下り伝送は実際に発生することはなく、又はスケジューリングタイミングＫ０に基づいて特定された、該スロットにおける下り伝送のスケジューリング情報を伝送するスロットにＰＤＣＣＨ傍受機会（ＰＤＣＣＨ  ｍｏｎｉｔｏｒｉｎｇ  ｏｃｃａｓｉｏｎ）が存在しなければ、該スロットはスケジューリングされ得ず、該スロットにおける下り伝送は全てカウントされ得ない。１つのロットで下り時間領域リソース割当情報から特定されるシンボルが全て下り又は未知（ｕｎｋｎｏｗｎ）シンボルであり、且つ、当該タイムスロットに対応するスケジューリング情報を伝送するスロットにＰＤＣＣＨ傍受機会が存在することを満たしさえすれば、該下り伝送が該スロットに存在可能であると示し、これにより、１つのスロットに存在し得る下り伝送のうちから、ＴＤＭ伝送の下り伝送の最大の個数を特定し、以下同様に、Ｋ１に基づいて導出された、ｓｌｏｔ  ｎにおけるＨＡＲＱ−ＡＣＫフィードバックを行う複数のｓｌｏｔ中の下り伝送の総個数をＭｃとして特定し、Ｍｃに基づいて、ｓｌｏｔ  ｎで伝送された、コードブックサイズ、ＨＡＲＱ−ＡＣＫの詳しい内容及び順序を含む準静的ＨＡＲＱ−ＡＣＫコードブックを特定する。
【０００６】
５Ｇ  ＮＲシステムにおいて、ＰＤＳＣＨが反復伝送される場合、ＰＤＳＣＨは２、４、または８回の反復伝送をサポートすることができ、それに対応するＨＡＲＱ−ＡＣＫフィードバック情報は準静的ＨＡＲＱ−ＡＣＫコードブックによる伝送をサポートすることができるが、相応なＨＡＲＱ−ＡＣＫフィードバック情報をどのように伝送するかに関する明確な方法はない。
【発明の概要】
【発明が解決しようとする課題】
【０００７】
本開示の実施例が提供するデータ伝送方法、端末機器及びネットワーク機器は、ＰＤＳＣＨは反復伝送される際に、如何にして相応なＨＡＲＱ−ＡＣＫフィードバック情報を伝送するかを明確にすることで、正常なＰＤＳＣＨの反復伝送のＨＡＲＱ−ＡＣＫフィードバックを保証することができる。
【課題を解決するための手段】
【０００８】
第１の態様では、本開示の実施例が提供する端末機器に適用されるデータ伝送方法は、
ＰＤＳＣＨを受信することと、
反復伝送のＰＤＳＣＨに対応するＨＡＲＱ−ＡＣＫフィードバック情報を少なくとも第１の伝送位置にマッピングして伝送することとを含み、ここで、
前記第１の伝送位置は、準静的ＨＡＲＱ−ＡＣＫコードブック内の、前記反復伝送のＰＤＳＣＨの最後の１回の伝送に対応する位置である。
【０００９】
第２の態様では、本開示の実施例が提供するネットワーク機器に適用されるデータ伝送方法は、
ＰＤＳＣＨを伝送することと、
少なくとも第１の伝送位置で、反復伝送のＰＤＳＣＨに対応するＨＡＲＱ−ＡＣＫフィードバック情報を受信することとを含み、
ここで、前記第１の伝送位置は、準静的ＨＡＲＱ−ＡＣＫコードブック内の、前記反復伝送のＰＤＳＣＨの最後の１回の伝送に対応する位置である。
【００１０】
第３の態様では、本開示の実施例が提供する端末機器は、トランシーバ、メモリ、プロセッサ、及び前記メモリに記憶されている、前記プロセッサ上で実行可能なコンピュータプログラムを含み、ここで、
前記トランシーバは、ＰＤＳＣＨを受信し、反復伝送のＰＤＳＣＨに対応するＨＡＲＱ−ＡＣＫフィードバック情報を少なくとも第１の伝送位置にマッピングして伝送することに用いられ、
ここで、前記第１の伝送位置は、準静的ＨＡＲＱ−ＡＣＫコードブック内の、前記反復伝送のＰＤＳＣＨの最後の１回の伝送に対応する位置である。
【００１１】
第４の態様では、本開示の実施例が提供するネットワーク機器は、トランシーバ、メモリ、プロセッサ、及び前記メモリに記憶されている、前記プロセッサ上で実行可能なコンピュータプログラムを含み、ここで、
前記トランシーバは、ＰＤＳＣＨを伝送し、少なくとも第１の伝送位置で、反復伝送のＰＤＳＣＨに対応するＨＡＲＱ−ＡＣＫフィードバック情報を受信することに用いられ、
ここで、前記第１の伝送位置は、準静的ＨＡＲＱ−ＡＣＫコードブック内の、前記反復伝送のＰＤＳＣＨの最後の１回の伝送に対応する位置である。
【００１２】
第５の態様では、本開示の実施例がさらに提供する端末機器に適用されるデータ伝送装置は、
ＰＤＳＣＨを受信することに用いられる第１の受信モジュールと、
反復伝送のＰＤＳＣＨに対応するＨＡＲＱ−ＡＣＫフィードバック情報を少なくとも第１の伝送位置にマッピングして伝送することに用いられる第１の伝送モジュールとを含み、
ここで、前記第１の伝送位置は、準静的ＨＡＲＱ−ＡＣＫコードブック内の、前記反復伝送のＰＤＳＣＨの最後の１回の伝送に対応する位置である。
【００１３】
第６の態様では、本開示の実施例がさらに提供するネットワーク機器に適用されるデータ伝送装置は、
ＰＤＳＣＨを伝送することに用いられる第２の伝送モジュールと、
少なくとも第１の伝送位置で、反復伝送のＰＤＳＣＨに対応するＨＡＲＱ−ＡＣＫフィードバック情報を受信することに用いられる第２の受信モジュールとを含み、
ここで、前記第１の伝送位置は、準静的ＨＡＲＱ−ＡＣＫコードブック内の、前記反復伝送のＰＤＳＣＨの最後の１回の伝送に対応する位置である。
【００１４】
第７の態様では、本開示の実施例がさらに提供する端末機器は、メモリと、プロセッサと、前記メモリに記憶されている、前記プロセッサ上で実行可能なプログラムとを含み、ここで、前記プロセッサが前記コンピュータープログラムを実行すると、上記端末機器に適用されるデータ伝送方法が実現される。
【００１５】
第８の態様では、本開示の実施例がさらに提供するネットワーク機器は、メモリと、プロセッサと、前記メモリに記憶されている、前記プロセッサ上で実行可能なプログラムとを含み、ここで、前記プロセッサが前記コンピュータープログラムを実行すると、上記ネットワーク機器に適用されるデータ伝送方法が実現される。
【００１６】
第９の態様では、本開示の実施例がさらに提供するコンピュータ読み取り可能な記憶媒体は、プロセッサによって実行されると、上記端末機器に適用されるデータ伝送方法、又は上記ネットワーク機器に適用されるデータ伝送方法を実現するコンピュータプログラムを記憶している。
【発明の効果】
【００１７】
本開示の実施例において、ＰＤＳＣＨを受信し、反復伝送のＰＤＳＣＨに対応するＨＡＲＱ−ＡＣＫフィードバック情報を少なくとも第１の伝送位置にマッピングして伝送し、該第１の伝送位置は、準静的ＨＡＲＱ−ＡＣＫコードブック内の、反復伝送のＰＤＳＣＨの最後の１回の伝送に対応する位置であり、よって、ＰＤＳＣＨは反復伝送される際に、如何にして相応なＨＡＲＱ−ＡＣＫフィードバック情報を伝送するかを明確にすることで、正常なＰＤＳＣＨ反復伝送のＨＡＲＱ−ＡＣＫフィードバックを保証することができる。
【００１８】
本発明の実施例の技術的解決手段をより明確に説明するために、以下、本発明の実施例において必要とされる図面について簡単に説明するが、以下の説明における図面は、本発明の実施例の一部に過ぎず、当業者にとって、創造的な労働なしで、他の図面も、これらの図面に基づいて得られることは明らかである。
【図面の簡単な説明】
【００１９】
【図１】本開示の実施例に係るデータ伝送方法のフローチャートである。
【図２】本開示の実施例に係る別のデータ伝送方法のフローチャートである。
【図３】本開示の具体的な実施例に係る下り伝送位置の概略図である。
【図４】本開示の具体的な実施例におけるケース１に応じた方式１に従ってＨＡＲＱ−ＡＣＫフィードバックを行う概略図である。
【図５】本開示の具体的な実施例におけるケース１に応じた方式２に従ってＨＡＲＱ−ＡＣＫフィードバックを行う概略図である。
【図６】本開示の具体的な実施例におけるケース１に応じた方式３に従ってＨＡＲＱ−ＡＣＫフィードバックを行う概略図である。
【図７】本開示の具体的な実施例におけるケース２に応じた方式１に従ってＨＡＲＱ−ＡＣＫフィードバックを行う概略図である。
【図８】本開示の具体的な実施例におけるケース２に応じた方式２に従ってＨＡＲＱ−ＡＣＫフィードバックを行う概略図である。
【図９】本開示の具体的な実施例におけるケース２に応じた方式３に従ってＨＡＲＱ−ＡＣＫフィードバックを行う概略図である。
【図１０】本開示の実施例に係る端末機器の構成概略図その１である。
【図１１】本開示の実施例に係るネットワーク機器の構成概略図その１である。
【図１２】本開示の実施例に係るデータ伝送装置の構成概略図その１である。
【図１３】本開示の実施例に係るデータ伝送装置の構成概略図その２である。
【図１４】本開示の実施例に係る端末機器の構成概略図その２である。
【図１５】本開示の実施例に係るネットワーク機器の構成概略図その２である。
【発明を実施するための形態】
【００２０】
以下、本開示の実施例における技術手段を、本開示の実施例における図面を参照して、明確かつ完全に説明するが、明らかに、説明される実施例は、本開示の実施例の全てではなく、一部こそである。本開示の実施例に基づいて、創造的な労働なしに当業者によって得られる他のすべての実施例は、本開示の保護範囲に属する。
【００２１】
図１を参照すると、本開示の実施例は、端末機器に適用されるデータ伝送方法を提供し、該方法は、
ステップ１０１：ＰＤＳＣＨを受信することと、
ステップ１０２：反復伝送のＰＤＳＣＨに対応するＨＡＲＱ−ＡＣＫフィードバック情報を少なくとも第１の伝送位置にマッピングして伝送することとを含み、
ここで、該第１の伝送位置は、準静的ＨＡＲＱ−ＡＣＫコードブック内の、反復伝送のＰＤＳＣＨの最後の１回の伝送に対応する位置である。
【００２２】
また、該反復伝送のＰＤＳＣＨに対応するＨＡＲＱ−ＡＣＫフィードバック情報は、反復伝送のＰＤＳＣＨの最後の１回の伝送に対応するＨＡＲＱ−ＡＣＫフィードバック情報、すなわち、複数回の反復伝送の合成を介して得られるＰＤＳＣＨのＨＡＲＱ−ＡＣＫフィードバック情報である。
【００２３】
さらに、端末機器が、ＮＡＣＫ情報を、前記準静的ＨＡＲＱ−ＡＣＫコードブック内の、前記反復伝送されているＰＤＳＣＨの毎回の伝送に対応する位置以外の位置に、マッピングして伝送し得る。
【００２４】
本開示の実施例に係るデータ伝送方法において、ＰＤＳＣＨを受信し、反復伝送のＰＤＳＣＨに対応するＨＡＲＱ−ＡＣＫフィードバック情報を少なくとも第１の伝送位置にマッピングして伝送し、該第１の伝送位置は、準静的ＨＡＲＱ−ＡＣＫコードブック内の、反復伝送のＰＤＳＣＨの最後の１回の伝送に対応する位置であり、よって、ＰＤＳＣＨは反復伝送される際に、如何にして相応なＨＡＲＱ−ＡＣＫフィードバック情報を伝送するかを明確にすることで、正常なＰＤＳＣＨ反復伝送のＨＡＲＱ−ＡＣＫフィードバックを保証することができる。
【００２５】
本開示の実施例において、端末機器が、反復伝送のＰＤＳＣＨに対応するＨＡＲＱ−ＡＣＫフィードバック情報を少なくとも第１の伝送位置にマッピングして伝送するプロセスは、以下にそれぞれ説明する３つの方式で実現される。
【００２６】
方式１
【００２７】
方式１によると、ステップ１０２は、
端末機器が、反復伝送のＰＤＳＣＨに対応するＨＡＲＱ−ＡＣＫフィードバック情報を第１の伝送位置にマッピングして伝送し、ＮＡＣＫ（Ｎｏｎ−Ａｃｋｎｏｗｌｅｄｇｅｍｅｎｔ）情報を第２の伝送位置にマッピングして伝送することを含み得、
ここで、前記第２の伝送位置は、前記準静的ＨＡＲＱ−ＡＣＫコードブック内の、反復伝送のＰＤＳＣＨの最後の１回の伝送以外の毎回の伝送に対応する位置である。
【００２８】
方式２
【００２９】
方式２によると、ステップ１０２は、
端末機器は、前記反復伝送のＰＤＳＣＨに対応するＨＡＲＱ−ＡＣＫフィードバック情報を第１の伝送位置にマッピングして伝送し、今回の反復伝送のＰＤＳＣＨに対応するＨＡＲＱ−ＡＣＫフィードバック情報（つまり、今回の反復伝送まで、前回の反復伝送との合成を介して得られるＰＤＳＣＨのＨＡＲＱ−ＡＣＫフィードバック情報）を第３の伝送位置にマッピングして伝送することを含み得、
ここで、該第３の伝送位置は、準静的ＨＡＲＱ−ＡＣＫコードブック内の、反復伝送のＰＤＳＣＨの今回の伝送に対応する位置である。
【００３０】
方式３
【００３１】
方式３によると、ステップ１０２は、
端末機器は、反復伝送のＰＤＳＣＨに対応するＨＡＲＱ−ＡＣＫフィードバック情報を、準静的ＨＡＲＱ−ＡＣＫコードブック内の、反復伝送のＰＤＳＣＨの毎回の伝送に対応する位置に、反復マッピングして伝送することを含み得、
換言すれば、この方式で端末機器は、反復伝送のＰＤＳＣＨに対応するＨＡＲＱ−ＡＣＫフィードバック情報を、準静的ＨＡＲＱ−ＡＣＫコードブック内の、反復伝送のＰＤＳＣＨの最後の１回の伝送の位置にマッピングして伝送し、また、準静的ＨＡＲＱ−ＡＣＫコードブック内の、反復伝送のＰＤＳＣＨの最後の１回の伝送以外の毎回の伝送の位置にＨＡＲＱ−ＡＣＫフィードバック情報を同様にマッピングして伝送することができ、すなわち、該ＨＡＲＱ−ＡＣＫフィードバック情報は、準静的ＨＡＲＱ−ＡＣＫコードブック内の、反復伝送のＰＤＳＣＨの毎回の伝送に対応する位置で反復伝送される。
【００３２】
上記３つの方式を比較すると分かるように、
方式１及び方式３に比べ、方式２の利点は、反復伝送の各々までのＰＤＳＣＨ受信状態を知らせることで、ネットワーク側、例えば基地局が、ＰＤＳＣＨの反復伝送回数をさらに調整できるか否かを判断することを支援することができることであり、例えば、複数回のＨＡＲＱ−ＡＣＫフィードバックを行った後、反復伝送回数が４であるＰＤＳＣＨに対して、常に２回の伝送以内でＡＣＫフィードバックが得られる場合、ＰＤＳＣＨの反復伝送回数を４から２に調整することを考慮してよい。
【００３３】
方式１及び方式２に比べ、方式３の利点は、同一のＨＡＲＱ−ＡＣＫフィードバック情報を反復伝送することにより、１つのＰＤＳＣＨの反復伝送に対応する最終のＨＡＲＱ−ＡＣＫの伝送信頼性を向上させることができることである。
【００３４】
図２を参照すると、本開示の実施例は、ネットワーク装置に適用されるデータ伝送方法を提供し、該方法は、
ステップ２０１：ＰＤＳＣＨを伝送することと、
ステップ２０２：少なくとも第１の伝送位置で、反復伝送のＰＤＳＣＨに対応するＨＡＲＱ−ＡＣＫフィードバック情報を受信することとを含み、
ここで、該第１の伝送位置は、準静的ＨＡＲＱ−ＡＣＫコードブック内の、反復伝送のＰＤＳＣＨの最後の１回の伝送に対応する位置である。
【００３５】
本開示の実施例に係るデータ伝送方法によると、ＰＤＳＣＨを伝送し、少なくとも第１の伝送位置で、反復伝送のＰＤＳＣＨに対応するＨＡＲＱ−ＡＣＫフィードバック情報を受信し、該第１の伝送位置は、準静的ＨＡＲＱ−ＡＣＫコードブック内の、反復伝送のＰＤＳＣＨの最後の１回の伝送に対応する位置であり、よって、ＰＤＳＣＨは反復伝送される際に、如何にして相応なＨＡＲＱ−ＡＣＫフィードバック情報を伝送するかを明確にすることで、正常なＰＤＳＣＨの反復伝送のＨＡＲＱ−ＡＣＫフィードバックを保証し、正確なフィードバック情報を得る。
【００３６】
本開示の実施例には、選択的に、ステップ２０２は、
前記第１の伝送位置で、反復伝送のＰＤＳＣＨに対応するＨＡＲＱ−ＡＣＫフィードバック情報を受信し、第２の伝送位置でＮＡＣＫ情報を受信することを含み得、
ここで、前記第２の伝送位置は、前記準静的ＨＡＲＱ−ＡＣＫコードブック内の、前記反復伝送のＰＤＳＣＨの最後の１回の伝送以外の毎回の伝送に対応する位置である。
【００３７】
選択的に、ステップ２０２は、
前記第１の伝送位置で、前記反復伝送のＰＤＳＣＨに対応するＨＡＲＱ−ＡＣＫフィードバック情報を受信し、第３の伝送位置で、今回の反復伝送のＰＤＳＣＨに対応するＨＡＲＱ−ＡＣＫフィードバック情報を受信することを含み得、
ここで、前記第３の伝送位置は、前記準静的ＨＡＲＱ−ＡＣＫコードブック内の、前記反復伝送のＰＤＳＣＨの今回の伝送に対応する位置である。
【００３８】
選択的に、ステップ２０２は、
前記反復伝送のＰＤＳＣＨに対応するＨＡＲＱ−ＡＣＫフィードバック情報を、前記準静的ＨＡＲＱ−ＡＣＫコードブック内の、前記反復伝送のＰＤＳＣＨの毎回の伝送に対応する位置で、受信することを含み得る。
【００３９】
選択的に、前記反復伝送のＰＤＳＣＨに対応するＨＡＲＱ−ＡＣＫフィードバック情報は、前記反復伝送のＰＤＳＣＨの最後の１回の伝送に対応するＨＡＲＱ−ＡＣＫフィードバック情報である。
【００４０】
選択的に、前記方法は、
ＮＡＣＫ情報を、前記準静的ＨＡＲＱ−ＡＣＫコードブック内の、前記反復伝送のＰＤＳＣＨの毎回の伝送に対応する位置以外の位置で、受信することをさらに含み得る。
【００４１】
以下、本開示の具体的な実施例について、図３〜図９を参照しながら詳細に説明する。
【００４２】
本発明の具体的な実施例では、図３に示すように、８つのＨＡＲＱ−ＡＣＫタイミングを含む候補セットＫ１が｛０，１，２，３，４，５，６，７，８，９｝であると仮定すると、スロットｓｌｏｔ  ｎ＋９内でＨＡＲＱ−ＡＣＫ伝送に対応する１０個のスロットが特定され得る。ここで、上がりｓｌｏｔであるｓｌｏｔ  ｎ＋９及びｓｌｏｔ  ｎ＋８は、下りを伝送することができないため、準静的ＨＡＲＱ−ＡＣＫコードブックのフィードバックから除外され、ｓｌｏｔ  ｎからｓｌｏｔ  ｎ＋７のみが残され、それらのｓｌｏｔの各々に対して、関連技術の関連方式で、そのｓｌｏｔに存在するＰＤＳＣＨの最大数を特定し、例えば、端末能力が各ｓｌｏｔに１つのＰＤＳＣＨしかサポートしていなく、各ｓｌｏｔがＫ０に従って特定されたスケジューリングシグナリングを送信するｓｌｏｔにＰＤＣＣＨ傍受機会を有すると仮定すると、各ｓｌｏｔは、１つのＰＤＳＣＨを含み得、すなわち、現在のキャリアｃにおける、ｓｌｏｔ  ｎ＋９内に、ＨＡＲＱ−ＡＣＫフィードバックを行う下り伝送の個数がＭｃ＝８であり、ここで、各ＰＤＳＣＨはＭｃ個の位置のうちの１つに対応し、この対応関係は、下り伝送の個数の特定過程に、同時に特定されたものである。上位層シグナリングは、反復回数であるＡ回の反復伝送されるＰＤＳＣＨを予め設定することができ、すなわち、同一ＴＢを搬送するＰＤＳＣＨはＡ回の反復伝送を行う必要があるが、ｓｌｏｔ単位で反復伝送を行う場合、毎回の伝送は、十分な下り又は未知シンボルを含むｓｌｏｔで行われ、１番目のＰＤＳＣＨ伝送が位置するｓｌｏｔは、ＰＤＣＣＨのスケジューリングに基づいて特定される。例えば、Ｋ０に基づいて特定されてもよく、１つのｓｌｏｔにおけるＰＤＳＣＨの時間領域リソースはＰＤＣＣＨのスケジューリングに基づいて特定されてもよく、また、反復伝送過程において、各ＰＤＳＣＨは、伝送ｓｌｏｔにおける時間領域位置が同じであり、第１のｓｌｏｔからの後続の、上記１つのｓｌｏｔにおけるＰＤＳＣＨの時間領域リソース割り当てを満たすｓｌｏｔで反復伝送が行われる。もちろん、特定の実現において、例えば、１つのＰＤＳＣＨの割り当てられるシンボルの数が比較的少ない場合など、ｓｌｏｔ内で反復伝送を行うことも可能であり、本開示の具体的な実施例では、ｓｌｏｔのみを単位として、反復伝送を行う。
【００４３】
ケース１：ＰＤＳＣＨの反復伝送の回数が４であり、１番目のＰＤＳＣＨの第１回の伝送がｓｌｏｔ  ｎで、後続のｓｌｏｔ  ｎ＋１、ｎ＋２、及びｎ＋３で順に反復され、２番目のＰＤＳＣＨの第１回の伝送がｓｌｏｔ  ｎ＋４で、後続のｓｌｏｔ  ｎ＋５、ｎ＋６、及びｎ＋７で順に反復されると仮定すると、端末機器は、以下のように、相応なＨＡＲＱ−ＡＣＫフィードバックを実行し得る。
【００４４】
方式１：図４に示すように、端末機器は、１番目のＰＤＳＣＨが４回の反復伝送を行った後の最終のＨＡＲＱ−ＡＣＫフィードバック情報を、該ＰＤＳＣＨの最後の１回の伝送に対応する準静的ＨＡＲＱ−ＡＣＫコードブック内の位置にマッピングして、すなわち準静的ＨＡＲＱ−ＡＣＫコードブック内のｓｌｏｔ  ｎ＋３に対応するＨＡＲＱ−ＡＣＫ位置で伝送することができ、２番目のＰＤＳＣＨが４回の反復伝送を行った後の最終のＨＡＲＱ−ＡＣＫフィードバック情報を、該ＰＤＳＣＨの最後の１回の伝送に対応する準静的ＨＡＲＱ−ＡＣＫコードブック内の位置にマッピングして、すなわち準静的ＨＡＲＱ−ＡＣＫコードブック内のｓｌｏｔ  ｎ＋７に対応するＨＡＲＱ−ＡＣＫ位置で伝送することができる一方、準静的ＨＡＲＱ−ＡＣＫコードブック内の他の下り伝送に対応する位置に、ＮＡＣＫ情報を直接マッピングすることができる。
【００４５】
方式２：図５に示すように、端末機器は、１番目のＰＤＳＣＨが４回の反復伝送を行った後の最終のＨＡＲＱ−ＡＣＫフィードバック情報を、該ＰＤＳＣＨの最後の１回の伝送に対応する準静的ＨＡＲＱ−ＡＣＫコードブック内の位置にマッピングして、すなわち準静的ＨＡＲＱ−ＡＣＫコードブック内のｓｌｏｔ  ｎ＋３に対応するＨＡＲＱ−ＡＣＫ位置で伝送することができ、準静的ＨＡＲＱ−ＡＣＫコードブック内の、１番目のＰＤＳＣＨの最後の１回以外の他の伝送に対応する位置に、対応する下り伝送のＨＡＲＱ−ＡＣＫフィードバック情報をマッピングして、すなわち、準静的ＨＡＲＱ−ＡＣＫコードブック内の、ｓｌｏｔ  ｎ＋２に対応する位置に、１番目のＰＤＳＣＨが３回の反復伝送を行った後に得られたＨＡＲＱ−ＡＣＫフィードバック情報をマッピングし、準静的ＨＡＲＱ−ＡＣＫコードブック内の、ｓｌｏｔ  ｎ＋１に対応する位置に、１番目のＰＤＳＣＨが２回の反復伝送を行った後に得られたＨＡＲＱ−ＡＣＫフィードバック情報をマッピングし、準静的ＨＡＲＱ−ＡＣＫコードブック内の、ｓｌｏｔ  ｎに対応する位置に、１番目のＰＤＳＣＨの第１回の伝送のＨＡＲＱ−ＡＣＫフィードバック情報をマッピングすることができる。２番目のＰＤＳＣＨについては、そのＨＡＲＱ−ＡＣＫフィードバックが、上記１番目のＰＤＳＣＨのＨＡＲＱ−ＡＣＫフィードバックと同様であるため、ここでその説明を省略する。
【００４６】
方式３：図６に示すように、端末機器は、１番目のＰＤＳＣＨが４回の反復伝送を行った後の最終のＨＡＲＱ−ＡＣＫフィードバック情報を、該ＰＤＳＣＨの毎回の伝送に対応する準静的ＨＡＲＱ−ＡＣＫコードブック内の位置に反復マッピングして、すなわち、ｓｌｏｔ  ｎ＋３における４回の合成の後に得られたＰＤＳＣＨのＨＡＲＱ−ＡＣＫフィードバック情報を、準静的ＨＡＲＱ−ＡＣＫコードブック内の、ｓｌｏｔ  ｎからｎ＋３に対応するＨＡＲＱ−ＡＣＫ位置にそれぞれマッピングすることができ、２番目のＰＤＳＣＨが４回の反復伝送を行った後の最終のＨＡＲＱ−ＡＣＫフィードバック情報を、該ＰＤＳＣＨの毎回の伝送に対応する準静的ＨＡＲＱ−ＡＣＫコードブック内の位置に反復マッピングして、すなわち、ｓｌｏｔ  ｎ＋７における４回の合成の後に得られたＰＤＳＣＨのＨＡＲＱ−ＡＣＫフィードバック情報を、準静的ＨＡＲＱ−ＡＣＫコードブック内のｓｌｏｔ  ｎ＋４からｓｌｏｔ  ｎ＋７に対応するＨＡＲＱ−ＡＣＫ位置にマッピングすることができる。
【００４７】
なお、このケースには、ネットワーク側、例えば基地局は、同様の方式でＰＤＳＣＨの反復伝送に対するＨＡＲＱ−ＡＣＫのマッピング位置を特定して、正確なフィードバック情報を得る。
【００４８】
ケース２：ＰＤＳＣＨの反復伝送の回数が２であり、１番目のＰＤＳＣＨの第１回の伝送がｓｌｏｔ  ｎで、後続のｓｌｏｔ  ｎ＋１で順に反復され、２番目のＰＤＳＣＨの第１回の伝送がｓｌｏｔ  ｎ＋３で、後続のｓｌｏｔ  ｎ＋４で順に反復され、３番目のＰＤＳＣＨの第１回の伝送がｓｌｏｔ  ｎ＋５で、後続のｓｌｏｔ  ｎ＋６で順に反復されると仮定すると、端末機器は、以下のように、相応なＨＡＲＱ−ＡＣＫフィードバックを実行し得る。
【００４９】
方式１：図７に示すように、端末機器は、１番目のＰＤＳＣＨが２回の反復伝送を行った後の最終のＨＡＲＱ−ＡＣＫフィードバック情報を、該ＰＤＳＣＨの最後の１回の伝送に対応する準静的ＨＡＲＱ−ＡＣＫコードブック内の位置にマッピングして、すなわち準静的ＨＡＲＱ−ＡＣＫコードブック内のｓｌｏｔ  ｎ＋１に対応するＨＡＲＱ−ＡＣＫ位置で伝送することができ、以下同様、２番目のＰＤＳＣＨが２回の反復伝送を行った後の最終のＨＡＲＱ−ＡＣＫフィードバック情報を、準静的ＨＡＲＱ−ＡＣＫコードブック内のｓｌｏｔ  ｎ＋４に対応するＨＡＲＱ−ＡＣＫ位置にマッピングして伝送し、また、３番目のＰＤＳＣＨが２回の反復伝送を行った後の最終のＨＡＲＱ−ＡＣＫフィードバック情報を、準静的ＨＡＲＱ−ＡＣＫコードブック内のｓｌｏｔ  ｎ＋６に対応するＨＡＲＱ−ＡＣＫ位置にマッピングして伝送しことができる一方、準静的ＨＡＲＱ−ＡＣＫコードブック内の他の位置に、ＮＡＣＫ情報を直接マッピングすることができる。
【００５０】
方式２：図８に示すように、端末機器は、１番目のＰＤＳＣＨが２回の反復伝送を行った後の最終のＨＡＲＱ−ＡＣＫフィードバック情報を、該ＰＤＳＣＨの最後の１回の伝送に対応する準静的ＨＡＲＱ−ＡＣＫコードブック内の位置にマッピングして、すなわち準静的ＨＡＲＱ−ＡＣＫコードブック内のｓｌｏｔ  ｎ＋１に対応するＨＡＲＱ−ＡＣＫ位置で伝送することができ、準静的ＨＡＲＱ−ＡＣＫコードブック内の、１番目のＰＤＳＣＨの最後の１回以外の他の伝送に対応する位置に、対応する下り伝送のＨＡＲＱ−ＡＣＫフィードバック情報をマッピングして、すなわち、準静的ＨＡＲＱ−ＡＣＫコードブック内の、ｓｌｏｔ  ｎに対応する位置に、１番目のＰＤＳＣＨの第１回の伝送のＨＡＲＱ−ＡＣＫフィードバック情報をマッピングし、以下同様、２番目のＰＤＳＣＨが２回の反復伝送を行った後の最終のＨＡＲＱ−ＡＣＫフィードバック情報を、準静的ＨＡＲＱ−ＡＣＫコードブック内の、ｓｌｏｔ  ｎ＋４に対応するＨＡＲＱ−ＡＣＫ位置にマッピングして、２番目のＰＤＳＣＨの第１回の伝送のＨＡＲＱ−ＡＣＫフィードバック情報を、準静的ＨＡＲＱ−ＡＣＫコードブック内の、ｓｌｏｔ  ｎ＋３に対応する位置にマッピングし、また、３番目のＰＤＳＣＨが２回の反復伝送を行った後の最終のＨＡＲＱ−ＡＣＫフィードバック情報を、準静的ＨＡＲＱ−ＡＣＫコードブック内の、ｓｌｏｔ  ｎ＋６に対応するＨＡＲＱ−ＡＣＫ位置にマッピングし、３番目のＰＤＳＣＨの第１回の伝送のＨＡＲＱ−ＡＣＫフィードバック情報を、準静的ＨＡＲＱ−ＡＣＫコードブック内の、ｓｌｏｔ  ｎ＋５に対応する位置にマッピングできる一方、準静的ＨＡＲＱ−ＡＣＫコードブック中の他の位置に対しては、それに対応する下り伝送が受信されないため、ＮＡＣＫ情報を直接マッピングすることができる。
【００５１】
方式３：図９に示すように、端末機器は、１番目のＰＤＳＣＨが２回の反復伝送を行った後の最終のＨＡＲＱ−ＡＣＫフィードバック情報を、該ＰＤＳＣＨの毎回の伝送に対応する準静的ＨＡＲＱ−ＡＣＫコードブック内の位置に反復マッピングして、すなわち、ｓｌｏｔ  ｎ＋１における２回の合成の後に得られたＰＤＳＣＨのＨＡＲＱ−ＡＣＫフィードバック情報を、準静的ＨＡＲＱ−ＡＣＫコードブック内の、ｓｌｏｔ  ｎからｎ＋１に対応するＨＡＲＱ−ＡＣＫ位置にそれぞれマッピングすることができ、以下同様、２番目のＰＤＳＣＨが２回の反復伝送を行った後の最終のＨＡＲＱ−ＡＣＫフィードバック情報、すなわち、ｓｌｏｔ  ｎ＋４における２回の合成の後に得られたＰＤＳＣＨのＨＡＲＱ−ＡＣＫフィードバック情報を、準静的ＨＡＲＱ−ＡＣＫコードブック内のｓｌｏｔ  ｎ＋３からｎ＋４に対応するＨＡＲＱ−ＡＣＫ位置にそれぞれマッピングして、また、３番目のＰＤＳＣＨが２回の反復伝送を行った後の最終のＨＡＲＱ−ＡＣＫフィードバック情報、すなわち、ｓｌｏｔ  ｎ＋６における２回の合成の後に得られたＰＤＳＣＨのＨＡＲＱ−ＡＣＫフィードバック情報を、準静的ＨＡＲＱ−ＡＣＫコードブック内のｓｌｏｔ  ｎ＋５からｎ＋６に対応するＨＡＲＱ−ＡＣＫ位置にそれぞれマッピングすることができる一方、準静的ＨＡＲＱ−ＡＣＫコードブック中の他の位置に対しては、それに対応する下り伝送が受信されないため、ＮＡＣＫ情報を直接マッピングすることができる。
【００５２】
なお、このケースには、ネットワーク側、例えば基地局は、同様の方式でＰＤＳＣＨの反復伝送に対するＨＡＲＱ−ＡＣＫのマッピング位置を特定して、正確なフィードバック情報を得る。
【００５３】
本開示の具体的な実施例において、Ｍｃ個のＨＡＲＱ−ＡＣＫ位置のうちの１つは、１つのＰＤＳＣＨのＨＡＲＱ−ＡＣＫフィードバック情報に対応し、該ＨＡＲＱ−ＡＣＫが、１ビットであってもよいし、複数のビットであってもよく、下り伝送の具体的な設定、例えばシングルＴＢであるかマルチＴＢであるか、空間統合を行うか否か、ＣＢＧ伝送をサポートするか否か等に依存する。
【００５４】
以上の実施例は、本開示のデータ伝送方法について説明したが、以下、本開示の端末機器及びネットワーク機器について、実施例と図面を参照しながら説明する。
【００５５】
図１０に示すように、本開示の実施例は、トランシーバ１１、メモリ１２、プロセッサ１３、及びメモリ１２に記憶されている、プロセッサ１３上で実行可能なコンピュータプログラムを含む端末機器を更に提供し、
ここで、前記トランシーバは、ＰＤＳＣＨを受信し、反復伝送のＰＤＳＣＨに対応するＨＡＲＱ−ＡＣＫフィードバック情報を少なくとも第１の伝送位置にマッピングして伝送することに用いられ、
前記第１の伝送位置は、準静的ＨＡＲＱ−ＡＣＫコードブック内の、前記反復伝送のＰＤＳＣＨの最後の１回の伝送に対応する位置である。
【００５６】
本開示の実施例に係る端末機器は、ＰＤＳＣＨが反復伝送を行われる際に、如何にして相応なＨＡＲＱ−ＡＣＫフィードバック情報を伝送するかを明確にすることで、正常なＰＤＳＣＨの反復伝送のＨＡＲＱ−ＡＣＫフィードバックを保証し得る。
【００５７】
本開示の実施例では、選択的に、前記トランシーバ１１は、前記反復伝送のＰＤＳＣＨに対応するＨＡＲＱ−ＡＣＫフィードバック情報を前記第１の伝送位置にマッピングして伝送し、ＮＡＣＫ情報を第２の伝送位置にマッピングして伝送することにさらに用いられ、
ここで、前記第２の伝送位置は、前記準静的ＨＡＲＱ−ＡＣＫコードブック内の、前記反復伝送のＰＤＳＣＨの最後の１回の伝送以外の毎回の伝送に対応する位置である。
【００５８】
選択的に、前記トランシーバ１１は、前記反復伝送のＰＤＳＣＨに対応するＨＡＲＱ−ＡＣＫフィードバック情報を前記第１の伝送位置にマッピングして伝送し、今回の反復伝送のＰＤＳＣＨに対応するＨＡＲＱ−ＡＣＫフィードバック情報を第３の伝送位置にマッピングして伝送することにさらに用いられ、
ここで、前記第３の伝送位置は、前記準静的ＨＡＲＱ−ＡＣＫコードブック内の、前記反復伝送のＰＤＳＣＨの今回の伝送に対応する位置である。
【００５９】
選択的に、前記トランシーバ１１は、前記反復伝送のＰＤＳＣＨに対応するＨＡＲＱ−ＡＣＫフィードバック情報を、前記準静的ＨＡＲＱ−ＡＣＫコードブック内の、前記反復伝送のＰＤＳＣＨの毎回の伝送に対応する位置に、反復マッピングして伝送することに用いられる。
【００６０】
選択的に、前記反復伝送のＰＤＳＣＨに対応するＨＡＲＱ−ＡＣＫフィードバック情報は、前記反復伝送のＰＤＳＣＨの最後の１回の伝送に対応するＨＡＲＱ−ＡＣＫフィードバック情報である。
【００６１】
選択的に、前記トランシーバ１１は、ＮＡＣＫ情報を、前記準静的ＨＡＲＱ−ＡＣＫコードブック内の、前記反復伝送のＰＤＳＣＨの毎回の伝送に対応する位置以外の位置に、マッピングして伝送することをさらに用いられる。
【００６２】
図１０では、（バス１０によって表れる）バスアーキテクチャが示され、バス１０は、プロセッサ１３によって表される１つまたは複数のプロセッサとメモリ１２によって表されるメモリとを含む様々な回路を互いに接続する任意の数の相互接続されたバス及びブリッジを含み得る。トランシーバ１１は、バス１０を介してプロセッサ１３及びメモリ１２に接続され得る送信機及び受信機を含み得る。
【００６３】
プロセッサ１３は、バス１０及び一般的な処理を管理し、メモリ１２は、プロセッサ１３によって動作を実行するときに使用されるデータを記憶し得る。
【００６４】
図１１に示すように、本開示の実施例は、トランシーバ１１１、メモリ１１２、プロセッサ１１３、及びメモリ１１２に記憶されている、プロセッサ１１３上で実行可能なコンピュータプログラムを含むネットワーク機器をさらに提供し、ここで、
前記トランシーバ１１１は、ＰＤＳＣＨを伝送し、少なくとも第１の伝送位置で、反復伝送のＰＤＳＣＨに対応するＨＡＲＱ−ＡＣＫフィードバック情報を受信することに用いられ、
前記第１の伝送位置は、準静的ＨＡＲＱ−ＡＣＫコードブック内の、前記反復伝送のＰＤＳＣＨの最後の１回の伝送に対応する位置である。
【００６５】
本開示の実施例に係るネットワーク機器は、ＰＤＳＣＨは反復伝送される際に、如何にして相応なＨＡＲＱ−ＡＣＫフィードバック情報を受信するかを明確にすることで、正常なＰＤＳＣＨの反復伝送のＨＡＲＱ−ＡＣＫフィードバックを保証し、正確なフィードバック情報を得ることができる。
【００６６】
本開示の実施例に、選択的に、前記トランシーバ１１１は、前記第１の伝送位置で、反復伝送のＰＤＳＣＨに対応するＨＡＲＱ−ＡＣＫフィードバック情報を受信し、第２の伝送位置でＮＡＣＫ情報を受信することにさらに用いられ、
ここで、前記第２の伝送位置は、前記準静的ＨＡＲＱ−ＡＣＫコードブック内の、前記反復伝送のＰＤＳＣＨの最後の１回の伝送以外の毎回の伝送に対応する位置である。
【００６７】
選択的に、前記トランシーバ１１１は、前記第１の伝送位置で、前記反復伝送のＰＤＳＣＨに対応するＨＡＲＱ−ＡＣＫフィードバック情報を受信し、第３の伝送位置で、今回の反復伝送のＰＤＳＣＨに対応するＨＡＲＱ−ＡＣＫフィードバック情報を受信することに用いられ、
ここで、前記第３の伝送位置は、前記準静的ＨＡＲＱ−ＡＣＫコードブック内の、前記反復伝送のＰＤＳＣＨの今回の伝送に対応する位置である。
【００６８】
選択的に、前記トランシーバ１１１は、前記反復伝送のＰＤＳＣＨに対応するＨＡＲＱ−ＡＣＫフィードバック情報を、前記準静的ＨＡＲＱ−ＡＣＫコードブック内の、前記反復伝送のＰＤＳＣＨの毎回の伝送に対応する位置で、受信することにさらに用いられる。
【００６９】
選択的に、前記反復伝送のＰＤＳＣＨに対応するＨＡＲＱ−ＡＣＫフィードバック情報は、前記反復伝送のＰＤＳＣＨの最後の１回の伝送に対応するＨＡＲＱ−ＡＣＫフィードバック情報である。
【００７０】
選択的に、前記トランシーバ１１１は、ＮＡＣＫ情報を、前記準静的ＨＡＲＱ−ＡＣＫコードブック内の、前記反復伝送のＰＤＳＣＨの毎回の伝送に対応する位置以外の位置で、受信することにさらに用いられる。
【００７１】
図１１では、（バス１１０によって表れる）バスアーキテクチャが示され、バス１１０は、プロセッサ１１３によって表される１つまたは複数のプロセッサとメモリ１１２によって表されるメモリとを含む様々な回路を互いに接続する任意の数の相互接続されたバス及びブリッジを含み得る。トランシーバ１１１は、バス１１０を介してプロセッサ１１３及びメモリ１１２に接続され得る送信機及び受信機を含み得る。
【００７２】
プロセッサ１１３は、バス１１０及び一般的な処理を管理し、メモリ１１２は、プロセッサ１１３によって動作を実行するときに使用されるデータを記憶し得る。
【００７３】
図１２を参照すると、本開示の実施例は、端末機器に適用されるデータ伝送装置をさらに提供し、そのデータ伝送装置は、
ＰＤＳＣＨを受信することに用いられる第１の受信モジュール１２１と、
反復伝送のＰＤＳＣＨに対応するＨＡＲＱ−ＡＣＫフィードバック情報を少なくとも第１の伝送位置にマッピングして伝送することに用いられる第１の伝送モジュール１２２とを含み、
ここで、前記第１の伝送位置は、準静的ＨＡＲＱ−ＡＣＫコードブック内の、前記反復伝送のＰＤＳＣＨの最後の１回の伝送に対応する位置である。
【００７４】
本開示の実施例に係るデータ伝送装置は、ＰＤＳＣＨは反復伝送される際に、如何にして相応なＨＡＲＱ−ＡＣＫフィードバック情報を伝送するかを明確にすることで、正常なＰＤＳＣＨの反復伝送のＨＡＲＱ−ＡＣＫフィードバックを保証することができる。
【００７５】
本開示の実施例では、選択的に、前記第１の伝送モジュール１２２は、前記反復伝送のＰＤＳＣＨに対応するＨＡＲＱ−ＡＣＫフィードバック情報を前記第１の伝送位置にマッピングして伝送し、ＮＡＣＫ情報を第２の伝送位置にマッピングして伝送することにさらに用いられ、
ここで、前記第２の伝送位置は、前記準静的ＨＡＲＱ−ＡＣＫコードブック内の、前記反復伝送のＰＤＳＣＨの最後の１回の伝送以外の毎回の伝送に対応する位置である。
【００７６】
選択的に、前記第１の伝送モジュール１２２は、前記反復伝送のＰＤＳＣＨに対応するＨＡＲＱ−ＡＣＫフィードバック情報を前記第１の伝送位置にマッピングして伝送し、今回の反復伝送のＰＤＳＣＨに対応するＨＡＲＱ−ＡＣＫフィードバック情報を第３の伝送位置にマッピングして伝送することにさらに用いられ、
ここで、前記第３の伝送位置は、前記準静的ＨＡＲＱ−ＡＣＫコードブック内の、前記反復伝送のＰＤＳＣＨの今回の伝送に対応する位置である。
【００７７】
選択的に、前記第１の伝送モジュール１２２は、前記反復伝送のＰＤＳＣＨに対応するＨＡＲＱ−ＡＣＫフィードバック情報を、前記準静的ＨＡＲＱ−ＡＣＫコードブック内の、前記反復伝送のＰＤＳＣＨの毎回の伝送に対応する位置に、反復マッピングして伝送することにさらに用いられる。
【００７８】
選択的に、前記反復伝送のＰＤＳＣＨに対応するＨＡＲＱ−ＡＣＫフィードバック情報は、前記反復伝送のＰＤＳＣＨの最後の１回の伝送に対応するＨＡＲＱ−ＡＣＫフィードバック情報である。
【００７９】
選択的に、前記端末機器は、
ＮＡＣＫ情報を、前記準静的ＨＡＲＱ−ＡＣＫコードブック内の、前記反復伝送のＰＤＳＣＨの毎回の伝送に対応する位置以外の位置に、マッピングして伝送することに用いられる第３の伝送モジュールをさらに含む。
【００８０】
図１３を参照すると、本開示の実施例は、ネットワーク機器に適用されるデータ伝送装置をさらに提供し、そのデータ伝送装置は、
ＰＤＳＣＨを伝送することに用いられる第２の伝送モジュール１３１と、
少なくとも第１の伝送位置で、反復伝送のＰＤＳＣＨに対応するＨＡＲＱ−ＡＣＫフィードバック情報を受信することに用いられる第２の受信モジュール１３２とを含み、
ここで、前記第１の伝送位置は、準静的ＨＡＲＱ−ＡＣＫコードブック内の、前記反復伝送のＰＤＳＣＨの最後の１回の伝送に対応する位置である。
【００８１】
本開示の実施例に係るデータ伝送装置は、ＰＤＳＣＨは反復伝送される際に、如何にして相応なＨＡＲＱ−ＡＣＫフィードバック情報を受信するかを明確にすることで、正常なＰＤＳＣＨの反復伝送のＨＡＲＱ−ＡＣＫフィードバックを保証し、正確なフィードバック情報を得ることができる。
【００８２】
本開示の実施例に、選択的に、前記第２の受信モジュール１３２は、前記第１の伝送位置で、反復伝送のＰＤＳＣＨに対応するＨＡＲＱ−ＡＣＫフィードバック情報を受信し、第２の伝送位置でＮＡＣＫ情報を受信することに用いられ、
ここで、前記第２の伝送位置は、前記準静的ＨＡＲＱ−ＡＣＫコードブック内の、前記反復伝送のＰＤＳＣＨの最後の１回の伝送以外の毎回の伝送に対応する位置である。
【００８３】
選択的に、前記第２の受信モジュール１３２は、前記第１の伝送位置で、前記反復伝送のＰＤＳＣＨに対応するＨＡＲＱ−ＡＣＫフィードバック情報を受信し、第３の伝送位置で、今回の反復伝送のＰＤＳＣＨに対応するＨＡＲＱ−ＡＣＫフィードバック情報を受信することにさらに用いられ、
ここで、前記第３の伝送位置は、前記準静的ＨＡＲＱ−ＡＣＫコードブック内の、前記反復伝送のＰＤＳＣＨの今回の伝送に対応する位置である。
【００８４】
選択的に、前記第２の受信モジュール１３２は、前記反復伝送のＰＤＳＣＨに対応するＨＡＲＱ−ＡＣＫフィードバック情報を、前記準静的ＨＡＲＱ−ＡＣＫコードブック内の、前記反復伝送のＰＤＳＣＨの毎回の伝送に対応する位置で、受信することにさらに用いられる。
【００８５】
選択的に、前記反復伝送のＰＤＳＣＨに対応するＨＡＲＱ−ＡＣＫフィードバック情報は、前記反復伝送のＰＤＳＣＨの最後の１回の伝送に対応するＨＡＲＱ−ＡＣＫフィードバック情報である。
【００８６】
選択的に、前記ネットワーク機器は、
ＮＡＣＫ情報を、前記準静的ＨＡＲＱ−ＡＣＫコードブック内の、前記反復伝送のＰＤＳＣＨの毎回の伝送に対応する位置以外の位置で、受信することに用いられる第３の受信モジュールをさらに含み得る。
【００８７】
また、本開示の実施例は、プロセッサと、メモリと、前記メモリに記憶されている、前記プロセッサ上で実行可能なコンピュータプログラムと、を含む端末機器をさらに提供し、前記コンピュータプログラムは、プロセッサにより実行されると、端末機器に適用されるデータ伝送方法の実施例における上述の各プロセスを実現し、同じ技術的効果を達成することができ、重複を避けるためにここでは説明を省略する。
【００８８】
具体的には、図１４に示すように、本開示の実施例は、バス１４１、プロセッサ１４２、トランシーバ１４３、バスインターフェース１４４、メモリ１４５、及びユーザインターフェース１４６を含む端末機器をさらに提供し、
ここで、プロセッサ１４２は、メモリ１４５内のプログラムを読み取ると、
ＰＤＳＣＨを受信し、反復伝送のＰＤＳＣＨに対応するＨＡＲＱ−ＡＣＫフィードバック情報を少なくとも第１の伝送位置にマッピングして伝送するように、トランシーバ１４３を制御することを実行し、
ここで、前記第１の伝送位置は、準静的ＨＡＲＱ−ＡＣＫコードブック内の、前記反復伝送のＰＤＳＣＨの最後の１回の伝送に対応する位置である。
【００８９】
トランシーバ１４３は、プロセッサ１４２の制御で、データの受信と送信とに用いられる。
【００９０】
図１４では、（バス１４１によって表れる）バスアーキテクチャが示され、バス１４１は、汎用プロセッサ１４２によって表される１つまたは複数のプロセッサとメモリ１４５によって表されるメモリとを含む様々な回路を互いに接続する任意の数の相互接続されたバス及びブリッジを含み得る。バス１４１は、また、周辺機器、電圧レギュレータ、電力管理回路など、他の様々な回路を接続することもできるのは当技術分野でよく知られているため、ここでは更なる説明をしない。バスインターフェース１４４は、バス１４１とトランシーバ１４３との間のインターフェースを提供する。トランシーバ１４３は、１つの要素であってもよく、または、複数の受信機及び送信機などの複数の要素であってもよく、伝送媒体を介して様々な他の装置と通信するためのユニットを提供する。例えば、トランシーバ１４３は、他の機器から外部データを受信する。トランシーバ１４３は、プロセッサ１４２が処理し済みのデータを他の機器に送信することに用いられる。コンピューティングシステムの性質に応じて、キーパッド、ディスプレイ、スピーカ、マイクロフォン、ジョイスティックなどのユーザインターフェース１４６も提供され得る。
【００９１】
プロセッサ１４２は、バス１４１の管理と、前述のように汎用オペレーティングシステムを実行する通常の処理とを担当する。メモリ１４５は、プロセッサ１４２によって動作を実行するときに使用されるデータを記憶することに用いられる。
【００９２】
選択的に、プロセッサ１４２は、Ｃｅｎｔｒａｌ  Ｐｒｏｃｅｓｓｉｎｇ  Ｕｎｉｔ（ＣＰＵ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、又はＣＰＬＤ（Ｃｏｍｐｌｅｘ  Ｐｒｏｇｒａｍｍａｂｌｅ  Ｌｏｇｉｃ  Ｄｅｖｉｃｅ）であってもよい。
【００９３】
なお、本開示の実施例におけるメモリ１４５は、揮発性メモリ又は不揮発性メモリであってもよく、又は揮発性メモリ及び不揮発性メモリの両方を含んでもよい。ここで、不揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｌｅｃｔｒｉｃａｌｌｙ  ＥＰＲＯＭ）、ＥＥＰＲＯＭ（Ｅｌｅｃｔｒｉｃａｌｌｙ  ＥＰＲＯＭ）、又はフラッシュメモリであってもよい。揮発性メモリは、外部キャッシュとして使用されるＲＡＭ（Ｒａｎｄｏｍ  Ａｃｃｅｓｓ  Ｍｅｍｏｒｙ）であってもよい。ＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）など、多くの形態のＲＡＭが利用可能であり、それらの形態のＲＡＭが例のみとして、制限的に説明したものではない。本明細書に記載されるシステム及び方法のメモリ１４５は、これら及び任意の他の好適なタイプのメモリを含むが、これらに限定されない。
【００９４】
いくつかの実施形態では、メモリ１４５は、実行可能モジュールまたはデータ構造、またはそのサブセット、または拡張セット（オペレーティングシステム１４５１及びアプリケーションプログラム１４５２）などの要素を記憶し、
ここで、オペレーティングシステム１４５１は、フレーム層、コアライブラリ層、ドライバ層等の、各種基盤サービスの実現やハードウェアベースのタスクの処理に用いられる各種システムプログラムを含む。アプリケーションプログラム１４５２は、様々なアプリケーションサービスを実現するためのメディアプレーヤ（Ｍｅｄｉａ  Ｐｌａｙｅｒ）、ブラウザ（Ｂｒｏｗｓｅｒ）等のような様々なアプリケーションプログラムを含む。本開示の実施例の方法を実現するためのプログラムは、アプリケーションプログラム１４５２に含まれ得る。
【００９５】
また、本開示の実施例は、プロセッサと、メモリと、前記メモリに記憶されている、前記プロセッサ上で実行可能なコンピュータプログラムと、を含むネットワーク機器をさらに提供し、前記コンピュータプログラムは、プロセッサにより実行されると、ネットワーク機器に適用されるデータ伝送方法の実施例における上述の各プロセスを実現し、同じ技術的効果を達成することができ、重複を避けるためにここでは説明を省略する。
【００９６】
具体的には、図１５に示すように、本開示の実施例は、バス１５１、トランシーバ１５２、アンテナ１５３、バスインターフェース１５４、プロセッサ１５５、及びメモリ１５６を含むネットワーク機器をさらに提供する。
【００９７】
本開示の実施例は、前記ネットワーク機器は、メモリ１５６に記憶されている、プロセッサ１５５上で実行可能なコンピュータプログラムをさらに含み、ここで、コンピュータープログラム１５５はプロセッサ１５に実行されると、
前記トランシーバ１５２は、ＰＤＳＣＨを伝送し、少なくとも第１の伝送位置で、反復伝送のＰＤＳＣＨに対応するＨＡＲＱ−ＡＣＫフィードバック情報を受信することを実現し、
ここで、前記第１の伝送位置は、準静的ＨＡＲＱ−ＡＣＫコードブック内の、前記反復伝送のＰＤＳＣＨの最後の１回の伝送に対応する位置である。
【００９８】
トランシーバ１５２は、プロセッサ１５５の制御で、データの受信と送信とに用いられる。
【００９９】
図１５では、（バス１５１によって表れる）バスアーキテクチャが示され、バス１５１は、プロセッサ１５５によって表される１つまたは複数のプロセッサとメモリ１５６によって表されるメモリとを含む様々な回路を互いに接続する任意の数の相互接続されたバス及びブリッジを含み得る。バス１５１は、また、周辺機器、電圧レギュレータ、電力管理回路など、他の様々な回路を接続することもできるのは当技術分野でよく知られているため、ここでは更なる説明をしない。バスインターフェース１５４は、バス１５１とトランシーバ１５２との間のインターフェースを提供する。トランシーバ１５２は、１つの要素であってもよく、または、複数の受信機及び送信機などの複数の要素であってもよく、伝送媒体を介して様々な他の装置と通信するためのユニットを提供する。プロセッサ１５５で処理されたデータは、アンテナ１５３を介して無線媒体上に伝送され、さらに、アンテナ１５３は、データを受信し、プロセッサ１５５にデータを伝送する。
【０１００】
プロセッサ１５５は、バス１５１の管理と通常の処理を担当し、タイミング、周辺インターフェース、電圧調整、電源管理、及び他の制御機能を含む様々な機能を提供することもできる。メモリ１５６は、プロセッサ１５５によって動作を実行するときに使用されるデータを記憶することに用いられる。
【０１０１】
選択的に、プロセッサ１５５は、ＣＰＵ、ＡＳＩＣ、ＦＰＧＡ、またはＣＰＬＤであり得る。
【０１０２】
本開示の実施例は、プロセッサにより実行されると、端末機器に適用されるデータ伝送方法の実施例の各プロセスを実現し、且つ同じ技術的効果を達成するコンピュータプログラムを記憶したコンピュータ読み取り可能な記憶媒体をさらに提供し、重複を避けるために、ここでその説明を省略する。
【０１０３】
本開示の実施例は、プロセッサにより実行されると、ネットワーク機器に適用されるデータ伝送方法の実施例の各プロセスを実現し、且つ同じ技術的効果を達成するコンピュータプログラムを記憶したコンピュータ読み取り可能な記憶媒体をさらに提供し、重複を避けるために、ここでその説明を省略する。
【０１０４】
コンピュータ読み取り可能な媒体は、永続的及び非永続的、着脱可能及び非着脱可能媒体を含み、情報記憶は、任意の方法または技術によって実現され得る。情報は、コンピュータ読み取り可能な命令、データ構造、プログラムのモジュール、または他のデータであり得る。コンピュータの記憶媒体の例としては、限定されるものではないが、相変化メモリ（ＰＲＡＭ）、ＳＲＡＭ、ＤＲＡＭ、他のタイプのＲＡＭ、ＲＯＭ、ＥＥＰＲＯＭ、フラッシュメモリまたは他のメモリ技術、ＣＤ−ＲＯＭ（Ｃｏｍｐａｃｔ  Ｄｉｓｋ  Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｋ）または他の光学記憶装置、磁気カセット、磁気テープ記憶装置または他の磁気記憶装置、またはコンピューティング機器によってアクセスされ得る情報を記憶するために使用され得る任意の他の非伝送媒体が挙げられる。本明細書の定義によれば、コンピュータ読み取り可能な媒体は、変調されたデータ信号及び搬送波などの一時記憶コンピュータ読み取り可能な媒体（Ｔｒａｎｓｉｔｏｒｙ  Ｍｅｄｉａ）を含まない。
【０１０５】
なお、本明細書において、用語「含める」、「含む」、またはそれらの任意の他の変形形態は、非排他的な包含をカバーするように意図され、したがって、要素のシリーズを含むプロセス、方法、品目、または装置は、それらの要素だけでなく、明示的に列挙されていない他の要素も含み、またはそのようなプロセス、方法、品目、もしくは装置に固有の要素も含む。「……を１つ含む」という表現によって定義される要素は、これ以上限定せずに、追加の同一の要素が、その要素を含むプロセス、方法、物品、又は装置内に存在することを除外しない。
【０１０６】
なお、本開示の実施例のシリアル番号は、説明のみを目的として、実施例の優劣を表すものではない。
【０１０７】
上記の実施形態の説明により、当業者は、上記の実施例の方法は、ソフトウェアプラスに必要な汎用ハードウェアプラットフォームを追加することによって達成することができることを明確に理解することができ、もちろん、ハードウェアのみを介しても達成し得、しかし、多くの場合、前者は、より良い実施方式である。この理解に基づいて、本開示の技術手段は、本質的に、または関連技術に寄与する部分は、コンピュータソフトウェア製品の形で具体化することができ、コンピュータソフトウェア製品は、（ＲＯＭ／ＲＡＭ、磁気ディスク、光ディスクなどの）記憶媒体に記憶され、（携帯電話、コンピュータ、サーバー、エアコン、またはネットワーク機器などであってもよい）端末機器に、この開示の各実施例で説明した方法を実行させるために用いられるいくつかの命令を含む。
【０１０８】
以上、本開示の具体的な実施態様のみであるが、本開示の保護範囲はこれに限定されるものではなく、本開示の技術分野に精通している技術者は、本開示の範囲内において、容易に考えられる変化又は置換は、本開示の保護範囲にカバーされるべきである。したがって、本開示の保護範囲は、請求項の保護範囲に基づくものとする。
【図１】
2021517424.tif 000003
【図２】
2021517424.tif 000004
【図３】
2021517424.tif 000005
【図４】
2021517424.tif 000006
【図５】
2021517424.tif 000007
【図６】
2021517424.tif 000008
【図７】
2021517424.tif 000009
【図８】
2021517424.tif 000010
【図９】
2021517424.tif 000011
【図１０】
2021517424.tif 000012
【図１１】
2021517424.tif 000013
【図１２】
2021517424.tif 000014
【図１３】
2021517424.tif 000015
【図１４】
2021517424.tif 000016
【図１５】
2021517424.tif 000017
【手続補正書】
【提出日】令和2年9月29日(2020.9.29)
【手続補正１】
【補正対象書類名】特許請求の範囲
【補正対象項目名】全文
【補正方法】変更
【補正の内容】
【特許請求の範囲】
【請求項１】
端末機器に適用されるデータ伝送方法であって、
ＰＤＳＣＨ（Ｐｈｙｓｉｃａｌ  Ｄｏｗｎｌｉｎｋ  Ｓｈａｒｅｄ  Ｃｈａｎｎｅｌ）を受信することと、
反復伝送のＰＤＳＣＨに対応するＨＡＲＱ−ＡＣＫ（Ｈｙｂｒｉｄ  Ａｕｔｏｍａｔｉｃ  Ｒｅｐｅａｔ  Ｒｅｑｕｅｓｔ  Ａｃｋｎｏｗｌｅｄｇｅｍｅｎｔ）フィードバック情報を少なくとも第１の目標伝送位置にマッピングして伝送することとを含み、
ここで、前記第１の目標伝送位置は、準静的ＨＡＲＱ−ＡＣＫコードブック内の、前記反復伝送のＰＤＳＣＨの最後の１回の伝送に対応する位置である、データ伝送方法。
【請求項２】
前記の反復伝送のＰＤＳＣＨに対応するＨＡＲＱ−ＡＣＫフィードバック情報を少なくとも第１の目標伝送位置にマッピングして伝送することは、
前記反復伝送のＰＤＳＣＨに対応するＨＡＲＱ−ＡＣＫフィードバック情報を前記第１の目標伝送位置にマッピングして伝送し、ＮＡＣＫ（Ｎｏｎ−Ａｃｋｎｏｗｌｅｄｇｅｍｅｎｔ）情報を第２の目標伝送位置にマッピングして伝送することと、
ここで、前記第２の目標伝送位置は、前記準静的ＨＡＲＱ−ＡＣＫコードブック内の、前記反復伝送のＰＤＳＣＨの最後の１回の伝送以外の毎回の伝送に対応する位置であり、
または、
前記反復伝送のＰＤＳＣＨに対応するＨＡＲＱ−ＡＣＫフィードバック情報を前記第１の目標伝送位置にマッピングして伝送し、今回の反復伝送のＰＤＳＣＨに対応するＨＡＲＱ−ＡＣＫフィードバック情報を第３の目標伝送位置にマッピングして伝送することと、
ここで、前記第３の目標伝送位置は、前記準静的ＨＡＲＱ−ＡＣＫコードブック内の、前記反復伝送のＰＤＳＣＨの今回の伝送に対応する位置であり、
または、
前記反復伝送のＰＤＳＣＨに対応するＨＡＲＱ−ＡＣＫフィードバック情報を、前記準静的ＨＡＲＱ−ＡＣＫコードブック内の、前記反復伝送のＰＤＳＣＨの毎回の伝送に対応する位置に、反復マッピングして伝送することを含む、請求項１に記載の方法。
【請求項３】
前記反復伝送のＰＤＳＣＨに対応するＨＡＲＱ−ＡＣＫフィードバック情報は、前記反復伝送のＰＤＳＣＨの最後の１回の伝送に対応するＨＡＲＱ−ＡＣＫフィードバック情報である、請求項１または２に記載の方法。
【請求項４】
ＮＡＣＫ情報を、前記準静的ＨＡＲＱ−ＡＣＫコードブック内の、前記反復伝送のＰＤＳＣＨの毎回の伝送に対応する位置以外の位置に、マッピングして伝送することをさらに含む、請求項１または２に記載の方法。
【請求項５】
ネットワーク機器に適用されるデータ伝送方法であって、
ＰＤＳＣＨを伝送することと、
少なくとも第１の目標伝送位置で、反復伝送のＰＤＳＣＨに対応するＨＡＲＱ−ＡＣＫフィードバック情報を受信することとを含み、
ここで、前記第１の目標伝送位置は、準静的ＨＡＲＱ−ＡＣＫコードブック内の、前記反復伝送のＰＤＳＣＨの最後の１回の伝送に対応する位置である、データ伝送方法。
【請求項６】
前記の少なくとも第１の目標伝送位置で、反復伝送のＰＤＳＣＨに対応するＨＡＲＱ−ＡＣＫフィードバック情報を受信することは、
前記第１の目標伝送位置で、反復伝送のＰＤＳＣＨに対応するＨＡＲＱ−ＡＣＫフィードバック情報を受信し、第２の目標伝送位置でＮＡＣＫ情報を受信することと、
ここで、前記第２の目標伝送位置は、前記準静的ＨＡＲＱ−ＡＣＫコードブック内の、前記反復伝送のＰＤＳＣＨの最後の１回の伝送以外の毎回の伝送に対応する位置であり、
または、
前記第１の目標伝送位置で、前記反復伝送のＰＤＳＣＨに対応するＨＡＲＱ−ＡＣＫフィードバック情報を受信し、第３の目標伝送位置で、今回の反復伝送のＰＤＳＣＨに対応するＨＡＲＱ−ＡＣＫフィードバック情報を受信することと、
ここで、前記第３の目標伝送位置は、前記準静的ＨＡＲＱ−ＡＣＫコードブック内の、前記反復伝送のＰＤＳＣＨの今回の伝送に対応する位置であり、
または、
前記反復伝送のＰＤＳＣＨに対応するＨＡＲＱ−ＡＣＫフィードバック情報を、前記準静的ＨＡＲＱ−ＡＣＫコードブック内の、前記反復伝送のＰＤＳＣＨの毎回の伝送に対応する位置で、受信することを含む、請求項５に記載の方法。
【請求項７】
前記反復伝送のＰＤＳＣＨに対応するＨＡＲＱ−ＡＣＫフィードバック情報は、前記反復伝送のＰＤＳＣＨの最後の１回の伝送に対応するＨＡＲＱ−ＡＣＫフィードバック情報である、請求項５または６に記載の方法。
【請求項８】
ＮＡＣＫ情報を、前記準静的ＨＡＲＱ−ＡＣＫコードブック内の、前記反復伝送のＰＤＳＣＨの毎回の伝送に対応する位置以外の位置で、受信することをさらに含む、請求項５または６に記載の方法。
【請求項９】
端末機器に適用されるデータ伝送装置であって、
ＰＤＳＣＨを受信することに用いられる第１の受信モジュールと、
反復伝送のＰＤＳＣＨに対応するＨＡＲＱ−ＡＣＫフィードバック情報を少なくとも第１の目標伝送位置にマッピングして伝送することに用いられる第１の伝送モジュールとを含み、
ここで、前記第１の目標伝送位置は、準静的ＨＡＲＱ−ＡＣＫコードブック内の、前記反復伝送のＰＤＳＣＨの最後の１回の伝送に対応する位置である、データ伝送装置。
【請求項１０】
第１の伝送モジュールは、さらに、
前記反復伝送のＰＤＳＣＨに対応するＨＡＲＱ−ＡＣＫフィードバック情報を前記第１の目標伝送位置にマッピングして伝送し、ＮＡＣＫ情報を第２の目標伝送位置にマッピングして伝送することに用いられ、
ここで、前記第２の目標伝送位置は、前記準静的ＨＡＲＱ−ＡＣＫコードブック内の、前記反復伝送のＰＤＳＣＨの最後の１回の伝送以外の毎回の伝送に対応する位置であり、
または、
前記反復伝送のＰＤＳＣＨに対応するＨＡＲＱ−ＡＣＫフィードバック情報を前記第１の目標伝送位置にマッピングして伝送し、今回の反復伝送のＰＤＳＣＨに対応するＨＡＲＱ−ＡＣＫフィードバック情報を第３の目標伝送位置にマッピングして伝送することに用いられ、
ここで、前記第３の目標伝送位置は、前記準静的ＨＡＲＱ−ＡＣＫコードブック内の、前記反復伝送のＰＤＳＣＨの今回の伝送に対応する位置であり、
または、
前記反復伝送のＰＤＳＣＨに対応するＨＡＲＱ−ＡＣＫフィードバック情報を、前記準静的ＨＡＲＱ−ＡＣＫコードブック内の、前記反復伝送のＰＤＳＣＨの毎回の伝送に対応する位置に、反復マッピングして伝送することに用いられる、請求項９に記載のデータ伝送装置。
【請求項１１】
前記反復伝送のＰＤＳＣＨに対応するＨＡＲＱ−ＡＣＫフィードバック情報は、前記反復伝送のＰＤＳＣＨの最後の１回の伝送に対応するＨＡＲＱ−ＡＣＫフィードバック情報である、請求項９または１０に記載のデータ伝送装置。
【請求項１２】
ＮＡＣＫ情報を、前記準静的ＨＡＲＱ−ＡＣＫコードブック内の、前記反復伝送のＰＤＳＣＨの毎回の伝送に対応する位置以外の位置に、マッピングして伝送することに用いられる第三の伝送モジュールをさらに含む、請求項９または１０に記載のデータ伝送装置。
【請求項１３】
ネットワーク機器に適用されるデータ伝送装置であって、
ＰＤＳＣＨを伝送することに用いられる第２の伝送モジュールと、
少なくとも第１の目標伝送位置で、反復伝送のＰＤＳＣＨに対応するＨＡＲＱ−ＡＣＫフィードバック情報を受信することに用いられる第２の受信モジュールとを含み、
ここで、前記第１の目標伝送位置は、準静的ＨＡＲＱ−ＡＣＫコードブック内の、前記反復伝送のＰＤＳＣＨの最後の１回の伝送に対応する位置である、データ伝送装置。
【請求項１４】
第２の受信モジュールは、さらに、
前記反復伝送のＰＤＳＣＨに対応するＨＡＲＱ−ＡＣＫフィードバック情報を前記第１の目標伝送位置で受信し、ＮＡＣＫ情報を第２の目標伝送位置で受信することに用いられ、
ここで、前記第２の目標伝送位置は、前記準静的ＨＡＲＱ−ＡＣＫコードブック内の、前記反復伝送のＰＤＳＣＨの最後の１回の伝送以外の毎回の伝送に対応する位置であり、
または、
前記反復伝送のＰＤＳＣＨに対応するＨＡＲＱ−ＡＣＫフィードバック情報を前記第１の目標伝送位置で受信し、今回の反復伝送のＰＤＳＣＨに対応するＨＡＲＱ−ＡＣＫフィードバック情報を第３の目標伝送位置で受信することに用いられ、
ここで、前記第３の目標伝送位置は、前記準静的ＨＡＲＱ−ＡＣＫコードブック内の、前記反復伝送のＰＤＳＣＨの今回の伝送に対応する位置であり、
または、
前記反復伝送のＰＤＳＣＨに対応するＨＡＲＱ−ＡＣＫフィードバック情報を、前記準静的ＨＡＲＱ−ＡＣＫコードブック内の、前記反復伝送のＰＤＳＣＨの毎回の伝送に対応する位置で受信することに用いられる、請求項１３に記載のデータ伝送装置。
【請求項１５】
前記反復伝送のＰＤＳＣＨに対応するＨＡＲＱ−ＡＣＫフィードバック情報は、前記反復伝送のＰＤＳＣＨの最後の１回の伝送に対応するＨＡＲＱ−ＡＣＫフィードバック情報である、請求項１３または１４に記載のデータ伝送装置。
【請求項１６】
ＮＡＣＫ情報を、前記準静的ＨＡＲＱ−ＡＣＫコードブック内の、前記反復伝送のＰＤＳＣＨの毎回の伝送に対応する位置以外の位置で受信することに用いられる第三の受信モジュールをさらに含む、請求項１３または１４に記載のデータ伝送装置。
【手続補正２】
【補正対象書類名】明細書
【補正対象項目名】０００８
【補正方法】変更
【補正の内容】
【０００８】
第１の態様では、本開示の実施例が提供する端末機器に適用されるデータ伝送方法は、
ＰＤＳＣＨを受信することと、
反復伝送のＰＤＳＣＨに対応するＨＡＲＱ−ＡＣＫフィードバック情報を少なくとも第１の目標伝送位置にマッピングして伝送することとを含み、
ここで、前記第１の目標伝送位置は、準静的ＨＡＲＱ−ＡＣＫコードブック内の、前記反復伝送のＰＤＳＣＨの最後の１回の伝送に対応する位置である。
【手続補正３】
【補正対象書類名】明細書
【補正対象項目名】０００９
【補正方法】変更
【補正の内容】
【０００９】
第２の態様では、本開示の実施例が提供するネットワーク機器に適用されるデータ伝送方法は、
ＰＤＳＣＨを伝送することと、
少なくとも第１の目標伝送位置で、反復伝送のＰＤＳＣＨに対応するＨＡＲＱ−ＡＣＫフィードバック情報を受信することとを含み、
ここで、前記第１の目標伝送位置は、準静的ＨＡＲＱ−ＡＣＫコードブック内の、前記反復伝送のＰＤＳＣＨの最後の１回の伝送に対応する位置である。
【手続補正４】
【補正対象書類名】明細書
【補正対象項目名】００１０
【補正方法】変更
【補正の内容】
【００１０】
第３の態様では、本開示の実施例が提供する端末機器は、トランシーバ、メモリ、プロセッサ、及び前記メモリに記憶されている、前記プロセッサ上で実行可能なコンピュータプログラムを含み、ここで、
前記トランシーバは、ＰＤＳＣＨを受信し、反復伝送のＰＤＳＣＨに対応するＨＡＲＱ−ＡＣＫフィードバック情報を少なくとも第１の目標伝送位置にマッピングして伝送することに用いられ、
ここで、前記第１の目標伝送位置は、準静的ＨＡＲＱ−ＡＣＫコードブック内の、前記反復伝送のＰＤＳＣＨの最後の１回の伝送に対応する位置である。
【手続補正５】
【補正対象書類名】明細書
【補正対象項目名】００１１
【補正方法】変更
【補正の内容】
【００１１】
第４の態様では、本開示の実施例が提供するネットワーク機器は、トランシーバ、メモリ、プロセッサ、及び前記メモリに記憶されている、前記プロセッサ上で実行可能なコンピュータプログラムを含み、ここで、
前記トランシーバは、ＰＤＳＣＨを伝送し、少なくとも第１の目標伝送位置で、反復伝送のＰＤＳＣＨに対応するＨＡＲＱ−ＡＣＫフィードバック情報を受信することに用いられ、
ここで、前記第１の目標伝送位置は、準静的ＨＡＲＱ−ＡＣＫコードブック内の、前記反復伝送のＰＤＳＣＨの最後の１回の伝送に対応する位置である。
【手続補正６】
【補正対象書類名】明細書
【補正対象項目名】００１２
【補正方法】変更
【補正の内容】
【００１２】
第５の態様では、本開示の実施例がさらに提供する端末機器に適用されるデータ伝送装置は、
ＰＤＳＣＨを受信することに用いられる第１の受信モジュールと、
反復伝送のＰＤＳＣＨに対応するＨＡＲＱ−ＡＣＫフィードバック情報を少なくとも第１の目標伝送位置にマッピングして伝送することに用いられる第１の伝送モジュールとを含み、
ここで、前記第１の目標伝送位置は、準静的ＨＡＲＱ−ＡＣＫコードブック内の、前記反復伝送のＰＤＳＣＨの最後の１回の伝送に対応する位置である。
【手続補正７】
【補正対象書類名】明細書
【補正対象項目名】００１３
【補正方法】変更
【補正の内容】
【００１３】
第６の態様では、本開示の実施例がさらに提供するネットワーク機器に適用されるデータ伝送装置は、
ＰＤＳＣＨを伝送することに用いられる第２の伝送モジュールと、
少なくとも第１の目標伝送位置で、反復伝送のＰＤＳＣＨに対応するＨＡＲＱ−ＡＣＫフィードバック情報を受信することに用いられる第２の受信モジュールとを含み、
ここで、前記第１の目標伝送位置は、準静的ＨＡＲＱ−ＡＣＫコードブック内の、前記反復伝送のＰＤＳＣＨの最後の１回の伝送に対応する位置である。
【手続補正８】
【補正対象書類名】明細書
【補正対象項目名】００１７
【補正方法】変更
【補正の内容】
【００１７】
本開示の実施例において、ＰＤＳＣＨを受信し、反復伝送のＰＤＳＣＨに対応するＨＡＲＱ−ＡＣＫフィードバック情報を少なくとも第１の目標伝送位置にマッピングして伝送し、該第１の目標伝送位置は、準静的ＨＡＲＱ−ＡＣＫコードブック内の、反復伝送のＰＤＳＣＨの最後の１回の伝送に対応する位置であり、よって、ＰＤＳＣＨは反復伝送される際に、如何にして相応なＨＡＲＱ−ＡＣＫフィードバック情報を伝送するかを明確にすることで、正常なＰＤＳＣＨ反復伝送のＨＡＲＱ−ＡＣＫフィードバックを保証することができる。
【国際調査報告】
2021517424.tif 000018
2021517424.tif 000019
2021517424.tif 000020
2021517424.tif 000021